(57)【要約】【課題】  ＤＦ（原稿搬送）読取において、ＴＷＡＩＮ読取動作であっても、連続読取の生産性を下げずにランプの寿命を伸ばすこと。【解決手段】  ＤＦ読取において、原稿読取を終了した（Ｓ１１５-NO）時点で、画像読取装置の動作状態が、読取要求を待つために予め定めた待機条件（原稿トレイに原稿があり、ＡＤＦが閉じていること）を満たすか否かを確認し（Ｓ２０１，２０２）、所定の待機条件が満たされたときだけ、光源の点灯周波数を下げて、所定時間次の読取要求（ＴＷＡＩＮ読取）を待つために待機（Ｓ２０１〜Ｓ１１８）する。【選択図】図５
2010212789.tif 000002
【特許請求の範囲】
【請求項１】
原稿トレイにセットされた原稿を搬送する原稿搬送装置と、原稿を光源で照明し得られる画像を走査形式で光電変換し画像を読取る原稿画像読取手段と、読取要求に応じて原稿搬送装置により原稿を搬送させ、搬送される原稿の読取を原稿画像読取手段に行わせる制御手段を有する画像読取装置であって、
原稿を照明する光源の点灯周波数を制御する光源制御手段と、
画像読取装置の動作状態が読取要求を待つために予め定められた所定の待機条件を満たすか否かを判定する待機条件判定手段を備え、
前記制御手段は、原稿読取の終了後に、前記待機条件判定手段によって所定の待機条件を満たすことが判定されたことを条件に前記光源制御手段に点灯周波数を低減して点灯を維持することを指示し、原稿画像読取手段を待機させ、かつ原稿読取の終了から所定時間内に次の読取要求を受けたときに前記光源制御手段に低減させた点灯周波数を元の周波数に戻し、次の読取動作に移行する制御を行うことを特徴とする画像読取装置。
【請求項２】
原稿トレイにセットされた原稿を搬送する原稿搬送装置と、原稿を光源で照明し得られる画像を走査形式で光電変換し画像を読取る原稿画像読取手段と、読取画像を補正するために原稿画像読取手段によって読取られる基準白板と、読取要求に応じて原稿搬送装置により原稿を搬送させ、搬送される原稿の読取を原稿画像読取手段に行わせる制御手段を有する画像読取装置であって、
原稿を照明する光源の点灯周波数を制御する光源制御手段と、
画像読取装置の動作状態が読取要求を待つために予め定められた所定の待機条件を満たすか否かを判定する待機条件判定手段を備え、
前記制御手段は、原稿読取の終了後に、前記待機条件判定手段によって所定の待機条件を満たすことが判定されたことを条件にそのまま光源を点灯し続けて基準白板を読取り、基準白板の読取後に前記光源制御手段に点灯周波数を低減して点灯を維持することを指示し、原稿画像読取手段を待機させ、かつ原稿読取の終了から所定時間内に次の読取要求を受けたときに前記光源制御手段に低減させた点灯周波数を元の周波数に戻し、次の読取動作に移行し、当該読取動作で基準白板の読取データを補正に用いる制御を行うことを特徴とする画像読取装置。
【請求項３】
原稿を載置する原稿台と、原稿トレイにセットされた原稿を搬送する原稿搬送装置と、原稿を光源で照明し得られる画像を走査形式で光電変換し画像を読取る原稿画像読取手段と、原稿画像読取手段によって、原稿台に載置された原稿を読取るときの第１読取動作と原稿搬送装置により搬送される原稿を読取るときの第２読取動作の各動作モードで読取動作を行わせる制御手段を有する画像読取装置であって、
原稿を照明する光源の点灯周波数を制御する光源制御手段と、
画像読取装置の動作状態が読取要求を待つために予め定められた所定の待機条件を満たすか否かを判定する待機条件判定手段を備え、
前記制御手段は、第２読取動作モードにおいて、原稿読取の終了後に、前記待機条件判定手段によって所定の待機条件を満たすことが判定されたことを条件に前記光源制御手段に点灯周波数を低減して点灯を維持することを指示し、原稿画像読取手段を待機させ、かつ原稿読取の終了から所定時間内に次の読取要求を受けたときに前記光源制御手段に低減させた点灯周波数を元の周波数に戻し、次の読取動作に移行する制御を行うことを特徴とする画像読取装置。
【請求項４】
原稿を載置する原稿台と、原稿トレイにセットされた原稿を搬送する原稿搬送装置と、原稿を光源で照明し得られる画像を走査形式で光電変換し画像を読取る原稿画像読取手段と、読取画像を補正するために原稿画像読取手段によって読取られる基準白板と、原稿画像読取手段によって、原稿台に載置された原稿を読取るときの第１読取動作と原稿搬送装置により搬送される原稿を読取るときの第２読取動作の各動作モードで読取動作を行わせる制御手段を有する画像読取装置であって、
原稿を照明する光源の点灯周波数を制御する光源制御手段と、
画像読取装置の動作状態が読取要求を待つために予め定められた所定の待機条件を満たすか否かを判定する待機条件判定手段を備え、
前記制御手段は、第２読取動作モードにおいて、原稿読取の終了後に、前記待機条件判定手段によって所定の待機条件を満たすことが判定されたことを条件にそのまま光源を点灯し続けて基準白板を読取り、基準白板の読取後に前記光源制御手段に点灯周波数を低減して点灯を維持することを指示し、原稿画像読取手段を待機させ、かつ原稿読取の終了から所定時間内に次の読取要求を受けたときに前記光源制御手段に低減させた点灯周波数を元の周波数に戻し、次の読取動作に移行し、当該読取動作で基準白板の読取データを補正に用いる制御を行うことを特徴とする画像読取装置。
【請求項５】
請求項１乃至４のいずれかに記載された画像読取装置において、
原稿搬送装置の原稿トレイに原稿がセットされたことを検知する原稿検知手段を備え、
前記所定の待機条件が原稿検知手段による原稿セットの検知であることを特徴とする画像読取装置。
【請求項６】
請求項３又は４に記載された画像読取装置において、
原稿搬送装置を原稿台の原稿載置面を開放する位置と閉止する位置との間で可動自在に支持する手段と、
原稿搬送装置が閉止する位置にあることを検知する閉止検知手段と、
原稿搬送装置の原稿トレイに原稿がセットされたことを検知する原稿検知手段を備え、
前記所定の待機条件が原稿検知手段による原稿セットの検知及び閉止検知手段による原稿搬送装置の閉止検知であることを特徴とする画像読取装置。
【請求項７】
請求項３乃至６のいずれかに記載された画像読取装置において、
前記制御手段は、前回の読取モードに対して今回要求された読取モードに変更があったときに、改めて基準白板を読取り、読取った後に原稿読取を行うことを特徴とする画像読取装置。
【請求項８】
請求項７に記載された画像読取装置において、
前記制御手段は、要求された読取モードがモノクロモードからカラーモードに変更された場合のみ、改めて基準白板を読取り、読取った後に原稿読取を行うことを特徴とする画像読取装置。
【請求項９】
請求項７又は８に記載された画像読取装置において、
動作条件を指示する操作手段を備え、
前記制御手段は、操作手段を通して行われた指示に従い、改めて基準白板を読取り、読取った後に原稿読取を行うか又は改めて基準白板を読取らずに原稿読取を行うかを選択することを特徴とする画像読取装置。
【請求項１０】
請求項３乃至９のいずれかに記載された画像読取装置において、
前記制御手段は、第２読取動作モードにおいて、原稿読取の終了後に、前記待機条件判定手段によって所定の待機条件を満たすことが判定されたことを条件に前記光源制御手段に点灯周波数を低減して点灯を維持することを指示するとともに、原稿画像読取手段を基準白板の読取位置で待機させ、かつ原稿読取の終了から所定時間内に次の読取要求を受けたときに前記光源制御手段に低減させた点灯周波数を元の周波数に戻し、基準白板を読取り、読取った後に原稿読取を行うことを特徴とする画像読取装置。
【請求項１１】
請求項３乃至１０のいずれかに記載された画像読取装置において、
前記制御手段は、第２読取動作モードにおいて、原稿読取の終了後に、前記待機条件判定手段によって所定の待機条件を満たすことが判定されたことを条件に前記光源制御手段に点灯周波数を低減して点灯を維持することを指示するとともに、原稿画像読取手段を基準白板の読取位置で待機させ、かつ原稿読取の終了から所定時間内に次の読取要求がないときに原稿画像読取手段を原稿の読取位置に戻し、光源を消灯することを特徴とする画像読取装置。
【請求項１２】
請求項１乃至１１のいずれかに記載された画像読取装置と、
画像読取装置によって読取られた画像データを用いてコピー出力及び外部送信出力を行う手段と、
を有した画像処理装置。
【発明の詳細な説明】
【技術分野】
【０００１】
本発明は、デジタル複写機、スキャナ、ファクシミリ、複合機等の画像処理装置に用いられる画像読取装置に関し、より詳しくは、原稿搬送装置（ＤＦ）を動作させて連続読取を行う機能を有した画像読取装置及び該画像読取装置の読取画像の出力手段を備えた画像処理装置に関する。
【背景技術】
【０００２】
従来から、紙媒体に記録（印刷）された画像を電子データに変換し、画像処理装置に入力するためにスキャナが広く用いられ、スキャナ単機能機、或いはデジタル複写機、ファクシミリ、複合機等の画像処理装置に組み込まれた形で普及している。
現在、スキャナでは連続読取の生産性を上げるために、シート状の原稿を原稿搬送装置（ＤＦ）で原稿トレイから自動で移動経路上の読取位置に搬送し、読取位置で静止する光学系を介して画像情報を読み取っていくシートスルー読取（以下、「ＤＦ読取」という）を採用しているものが多い。
コピー用途のＤＦ読取ではスキャナ内部のタイミングに基づいて原稿を次々と移動させる連続読取が実行可能であるが、他方、スキャナアプリであるＴＷＡＩＮ（Technology Without Any Interested Name）による読取の場合、1枚毎に動作を完結させる仕様であることと、読取データをネットワークに載せるので使用環境に依存することなどから次の原稿読取開始要求コマンドが遅れて出るため、連続読取の生産性はコピー用途に対して低い。
【０００３】
また、スキャナは１枚あるいは一連の原稿の読取を終了すると、終了時の手順としてランプを消灯する（特許文献１、参照）。この手順の後、読み取り開始要求が有ったとしても、スキャナは直ぐには読み取り開始出来ず、ランプオンしてから光量が安定するまでのウェイト時間分だけ遅れて読み取り開始することになる。
こうした手順によると、スキャナアプリのＴＷＡＩＮでの読取が更に生産性の低いものになってしまう。そこで、この遅れを回避するために、所定時間の猶予を与え、その時間に達するまではランプを消灯せずに待機し、読取要求が来たら直ぐに読取動作を行えるように制御する方法が提案された（後記、図１６、図１７の説明、参照）。
【発明の概要】
【発明が解決しようとする課題】
【０００４】
しかしながら、提案された所定時間に達するまではランプを消灯せずに待機する方法は、一律に所定時間だけランプがオンしてしまうために、結果的に無駄に点灯されている時間があり、省エネルギーという観点から望ましくない動作状態であり、ランプを有効に利用できる寿命を短くしてしまう不具合も生じる。
本発明は、上記した不具合に鑑みてなされたもので、その目的は、ＤＦ読取において、ＴＷＡＩＮ読取のような動作であっても、連続読取の生産性を下げずにランプの寿命を伸ばすことを目的とする。
【課題を解決するための手段】
【０００５】
本発明は、原稿トレイにセットされた原稿を搬送する原稿搬送装置と、原稿を光源で照明し得られる画像を走査形式で光電変換し画像を読取る原稿画像読取手段と、読取要求に応じて原稿搬送装置により原稿を搬送させ、搬送される原稿の読取を原稿画像読取手段に行わせる制御手段を有する画像読取装置であって、原稿を照明する光源の点灯周波数を制御する光源制御手段と、画像読取装置の動作状態が読取要求を待つために予め定められた所定の待機条件を満たすか否かを判定する待機条件判定手段を備え、前記制御手段は、原稿読取の終了後に、前記待機条件判定手段によって所定の待機条件を満たすことが判定されたことを条件に前記光源制御手段に点灯周波数を低減して点灯を維持することを指示し、原稿画像読取手段を待機させ、かつ原稿読取の終了から所定時間内に次の読取要求を受けたときに前記光源制御手段に低減させた点灯周波数を元の周波数に戻し、次の読取動作に移行する制御を行うことを特徴とする。
本発明は、原稿トレイにセットされた原稿を搬送する原稿搬送装置と、原稿を光源で照明し得られる画像を走査形式で光電変換し画像を読取る原稿画像読取手段と、読取画像を補正するために原稿画像読取手段によって読取られる基準白板と、読取要求に応じて原稿搬送装置により原稿を搬送させ、搬送される原稿の読取を原稿画像読取手段に行わせる制御手段を有する画像読取装置であって、原稿を照明する光源の点灯周波数を制御する光源制御手段と、画像読取装置の動作状態が読取要求を待つために予め定められた所定の待機条件を満たすか否かを判定する待機条件判定手段を備え、前記制御手段は、原稿読取の終了後に、前記待機条件判定手段によって所定の待機条件を満たすことが判定されたことを条件にそのまま光源を点灯し続けて基準白板を読取り、基準白板の読取後に前記光源制御手段に点灯周波数を低減して点灯を維持することを指示し、原稿画像読取手段を待機させ、かつ原稿読取の終了から所定時間内に次の読取要求を受けたときに前記光源制御手段に低減させた点灯周波数を元の周波数に戻し、次の読取動作に移行し、当該読取動作で基準白板の読取データを補正に用いる制御を行うことを特徴とする。
本発明は、原稿を載置する原稿台と、原稿トレイにセットされた原稿を搬送する原稿搬送装置と、原稿を光源で照明し得られる画像を走査形式で光電変換し画像を読取る原稿画像読取手段と、原稿画像読取手段によって、原稿台に載置された原稿を読取るときの第１読取動作と原稿搬送装置により搬送される原稿を読取るときの第２読取動作の各動作モードで読取動作を行わせる制御手段を有する画像読取装置であって、原稿を照明する光源の点灯周波数を制御する光源制御手段と、画像読取装置の動作状態が読取要求を待つために予め定められた所定の待機条件を満たすか否かを判定する待機条件判定手段を備え、前記制御手段は、第２読取動作モードにおいて、原稿読取の終了後に、前記待機条件判定手段によって所定の待機条件を満たすことが判定されたことを条件に前記光源制御手段に点灯周波数を低減して点灯を維持することを指示し、原稿画像読取手段を待機させ、かつ原稿読取の終了から所定時間内に次の読取要求を受けたときに前記光源制御手段に低減させた点灯周波数を元の周波数に戻し、次の読取動作に移行する制御を行うことを特徴とする。
本発明は、原稿を載置する原稿台と、原稿トレイにセットされた原稿を搬送する原稿搬送装置と、原稿を光源で照明し得られる画像を走査形式で光電変換し画像を読取る原稿画像読取手段と、読取画像を補正するために原稿画像読取手段によって読取られる基準白板と、原稿画像読取手段によって、原稿台に載置された原稿を読取るときの第１読取動作と原稿搬送装置により搬送される原稿を読取るときの第２読取動作の各動作モードで読取動作を行わせる制御手段を有する画像読取装置であって、原稿を照明する光源の点灯周波数を制御する光源制御手段と、画像読取装置の動作状態が読取要求を待つために予め定められた所定の待機条件を満たすか否かを判定する待機条件判定手段を備え、前記制御手段は、第２読取動作モードにおいて、原稿読取の終了後に、前記待機条件判定手段によって所定の待機条件を満たすことが判定されたことを条件にそのまま光源を点灯し続けて基準白板を読取り、基準白板の読取後に前記光源制御手段に点灯周波数を低減して点灯を維持することを指示し、原稿画像読取手段を待機させ、かつ原稿読取の終了から所定時間内に次の読取要求を受けたときに前記光源制御手段に低減させた点灯周波数を元の周波数に戻し、次の読取動作に移行し、当該読取動作で基準白板の読取データを補正に用いる制御を行うことを特徴とする。
【発明の効果】
【０００６】
本発明によると、ＤＦ読取において、次の読取要求を待つときに、画像読取装置の動作状態を確認して、読取要求が出されそうなときだけに光源の点灯周波数を下げて、所定時間待機することで、ＴＷＡＩＮ読取のような動作であっても、連続読取の生産性を下げず、かつランプの寿命を伸ばすことができ、生産性の向上と省エネルギーの両立が図れる。
【図面の簡単な説明】
【０００７】
【図１】本発明の実施形態に係る画像読取装置の概略構成を示す図である。
【図２】画像読取装置（図１）を組込んだカラーデジタル複写機の制御システムの概略構成示すブロック図である。
【図３】基準白板とＤＦ読取位置のＡＤＦ原稿ガラスとを往復させながら、読取動作を行うＤＦ読取モードの動作を説明する図である。
【図４】連続ＤＦ読取における制御フロー（実施形態１）を示す図（その１）である。
【図５】連続ＤＦ読取における制御フロー（実施形態１）を示す図（その２）である。
【図６】連続ＤＦ読取における制御フロー（実施形態２）を示す図（その１）である。
【図７】連続ＤＦ読取における制御フロー（実施形態２）を示す図（その２）である。
【図８】連続ＤＦ読取における制御フロー（実施形態３）を示す図（その１）である。
【図９】連続ＤＦ読取における制御フロー（実施形態３）を示す図（その２）である。
【図１０】連続ＤＦ読取における制御フロー（実施形態４）を示す図（その１）である。
【図１１】連続ＤＦ読取における制御フロー（実施形態４）を示す図（その２）である。
【図１２】連続ＤＦ読取における制御フロー（実施形態５）を示す図（その１）である。
【図１３】連続ＤＦ読取における制御フロー（実施形態５）を示す図（その２）である。
【図１４】連続ＤＦ読取における制御フロー（実施形態６）を示す図（その１）である。
【図１５】連続ＤＦ読取における制御フロー（実施形態６）を示す図（その２）である。
【図１６】連続ＤＦ読取における制御フロー（先行技術）を示す図（その１）である。
【図１７】連続ＤＦ読取における制御フロー（先行技術）を示す図（その２）である。
【発明を実施するための形態】
【０００８】
以下に本発明に係る画像読取装置及び画像処理装置の実施形態を添付した図面を参照して説明する。
以下に示す実施形態は、本発明に係る画像読取装置をカラーデジタル複写機に組込んだ画像読取装置に適用した例にて説明する。ただ、連続ＤＦ読取において次の読取要求に備えて待機する制御を行う上位発明の特徴部分に係る構成は、基本的にスキャナ単機能を備えた画像読取装置においても実施し得る。
【０００９】
「画像読取装置の概要」
図１は、本発明の実施形態に係る画像読取装置１の概略構成を示す図である。
図１に示すように、画像読取装置１は、大きくは、読取部２と、読取部２の上部に設けた原稿自動搬送装置（ＡＤＦ）３とから構成されている。
なお、このＡＤＦ３の底部には、白色の樹脂シートよりなる原稿押え部材（いわゆる「圧板」）３ａが設けられている。なお、ＡＤＦ３に一体に設けられた圧板３ａは、後述するコンタクトガラス（原稿台）５に載置した原稿Ｐ２を読取る時に原稿Ｐ２を押え、また、読取前後にコンタクトガラス５への原稿の載置／取出が必要であるから、コンタクトガラス５面を開放する位置と閉止する位置との間で可動自在にＡＤＦ３とともに支持される。
【００１０】
先ず、読取部２について説明する。読取部２の上面には、原稿台としてのコンタクトガラス５が設けられている。ここに載置される原稿は、読取時に上記圧板３ａによってガラス面に静止状態を保って保持される。なお、コンタクトガラス５に載置される原稿の読取動作は、後述するＤＦ読取では読めない綴じられた本に適応する動作を行うので、ブック原稿読取（以下、単に「ブック読取」という）といわれる。
読取部２の上面には、コンタクトガラス５のほかに、ＤＦ読取動作で原稿画像の読取に使用される搬送原稿用のＡＤＦ原稿ガラス６が設けられている。
ＤＦ読取は、ＡＤＦ３によって搬送される原稿を後述する搬送ドラム３３で送りながらＡＤＦ原稿ガラス６を通して読取る動作をいう。
なお、ＤＦ読取とブック読取のどちらの動作モードを起動するかは、画像読取装置が装置のステータス（機器の状態）を検出して（原稿トレイの原稿の有無）決めるか、あるいは図示しない操作部からのユーザの指示に従って決める。  
【００１１】
また、読取部２内のコンタクトガラス５の下方には、読取走査光学系と、読取走査光学系によって伝達される原稿面の画像を光電変換し、得られる画像信号を画像データに処理する信号処理系を設ける。
読取走査光学系は、原稿を照明する光源としての照明ランプ（キセノンランプ）８及びミラー９を備える第１キャリッジ１０と、２個のミラー１１，１２を備える第２キャリッジ１３、レンズ１４よりなる。第１キャリッジ１０及び第２キャリッジ１３は、コンタクトガラス５に沿って副走査方向（図中矢示する）にスキャナモータ１７によって往復移動する。照明ランプ８は、ランプ安定器８ａ（図２、参照）から駆動電圧を印加されて点灯し、所定角度で読み取り面を照射する。
【００１２】
ブック読取は、第１キャリッジ１０及び第２キャリッジ１３の移動により原稿面を照明光によって走査し、その反射光を読取走査光学系によって３ラインカラーＣＣＤ１５の受光面に結像して読取る。ブック読取時のキャリッジの移動は、走査の間に受光面で像の倍率が変化しないように（光路長を一定に保つように）、第１及び第２キャリッジの移動が条件付けられる。
なお、読取走査光学系は、ブック読取とＤＦ読取に共通に用いられるので、ＤＦ読取時には、読取走査光学系をＡＤＦ原稿ガラス６のある読取位置に停めて原稿読取を行う。なお、ＤＦ読取時の原稿読取位置（図１に示す位置）は、ブック読取におけるキャリッジのホームポジション（ＨＰ）でもある。
【００１３】
信号処理系は、３ラインカラーＣＣＤ１５と、ＣＣＤ駆動ユニットとしてのＳＢＵ（Sensor Board Unit）１６よりなる。
３ラインカラーＣＣＤ１５は、Ｒ，Ｇ，Ｂ、３色のセンサ列が所定の間隔を置いて並べられているため、同一時刻に３ラインカラーＣＣＤ１５が得たＲ，Ｇ，Ｂデータは、原稿の異なる場所を読み取ったデータとなる。従って、キャリッジの移動方向によって、センサ列間の信号の関係が違い、同じ場所が往路でＲ，Ｇ，Ｂの順序で読取られると、復路では、Ｂ，Ｇ，Ｒの順序で読取られる。
ＳＢＵ１６は、クロックドライバ、タイミング信号生成部、信号処理部などから構成されている。ＳＢＵ１６は、入射光量に対応した電圧を出力し、後述するＳＣＵ（Scanner Control Unit）１９の画像処理部１９ａ（図２、参照）に画像データとして渡す。
【００１４】
さらに、読取部２内のコンタクトガラス５とＡＤＦ原稿ガラス６との間であって、読取走査光学系が原稿を読取るときと同等の条件で読取走査光学系によって読取ることができる位置に基準白板７が配設されている。
基準白板７は、３ラインカラーＣＣＤ１５のランプ光量分布のムラを除くシェーディング補正時の補正データを得るため、主走査方向（副走査方向に直交する方向で、図１では図面に垂直な方向）に設けられた均一濃度のほぼ白色の部材である。
シェーディング動作は、ＤＦ読取モードが設定されていても、通常、連続読み取り動作時に、毎回シェーディングを行う、即ち、原稿１枚を読取る毎に、基準白板７のデータも１回採取するように設定されている。
【００１５】
次に、ＤＦ読取で使用されるＡＤＦ３について説明する。
ＡＤＦ３には、ＤＦ読取モードで原稿を読取る際に原稿５０をセットするための原稿トレイ２０と、読み取りが終了した原稿Ｐ１を排出するための排紙トレイ２１と、原稿トレイ２０から排紙トレイ２１へ連通する原稿搬送経路２２と、両面読取モードにおいて原稿Ｐ１を反転させる反転部２３とが設けられている。両面読取モードとは、表面の画像を読取位置に搬送し読取走査した後に、原稿Ｐ１を反転部２３の分岐爪３８及び反転テーブル３６等の動作によって反転させて、もう１度読取位置に搬送し、裏面の画像を読取走査する動作モードである。
また、原稿トレイ２０には、ＤＦ読取モードで原稿Ｐ１を読み取る際に、原稿トレイ２０に原稿がセットされているか否かを検出するセットセンサ、同原稿のサイズを検知する幅サイズ検知センサ、原稿長さセンサ及び同原稿の後端を検出する原稿後端センサが設けられている（いずれも図示せず）。これらのセンサ類により、ＤＦ読取モードでは、用紙指定キーや置数キーの押し下げによる原稿のサイズの指定がない場合にも、原稿トレイ２０の上にセットされた原稿のサイズが自動的に指定される。
【００１６】
原稿搬送経路２２の原稿トレイ２０側に設けたピックアップローラ３１や搬送ローラ３２は、給紙モータ（図示せず）によって駆動され、原稿トレイ２０の上にセットされた原稿Ｐ１が１枚ずつ原稿搬送経路２２に給紙される。
また、原稿搬送経路２２には、原稿Ｐ１を搬送するとともに原稿Ｐ１を排紙トレイ２１へ搬送する搬送ドラム３３が設けられている。この搬送ドラム３３は、ステッピングモータ（図示せず）によって駆動される。従って、原稿台２０から原稿搬送経路２２に給紙された原稿５０は、搬送ドラム３３がステッピングモータにより回転駆動されることにより、原稿読み取り位置のＡＤＦ原稿ガラス６上を副走査される。
このとき、搬送ドラム３３は、一定速度で回転して原稿Ｐ１を副走査方向に送り、原稿面の画像がＡＤＦ原稿ガラス６を通して３ラインカラーＣＣＤ１５で読取られる。原稿Ｐ１は、３ラインカラーＣＣＤ１５による読み取り処理が終了した後、搬送ドラム３３の回転に従い排紙トレイ２１に排出される。その後、順次、原稿トレイ２０上に載置されている次の原稿Ｐ１の読み取りが行われる。
【００１７】
「制御システムの概要」
次に、上記画像読取装置（図１）を組込んだカラーデジタル複写機の制御システムの概要を説明する。
図２は、カラーデジタル複写機の制御システムの概略構成を示すブロック図である。なお、図２に示す制御システムは、画像読取装置（図１）の読取動作の制御を主に示し、この実施形態において特徴部分を構成しないプリンタ等の画像形成部の制御に係る部分の詳細は省略されている。
図２に示すように、３ラインカラーＣＣＤ１５に結像した原稿Ｐ１（基準白板７）からの反射光は、ＳＢＵ１６の信号処理部１６１においてアナログの画像信号からデジタル信号に変換される。変換されたデジタル画像信号は、ＳＣＵ１９の画像処理部１９１に出力される。画像処理部１９１は、シェーディング補正、ガンマ補正、ＭＴＦ補正等の各種の画像処理を施す。
画像処理部１９１で出力用に処理が施された画像データは、紙媒体への出力用にプリンタ６０に送られ、外部画像Ｉ／Ｆ（インターフェース）５０を介してメモリなどの記憶媒体に転送される。
【００１８】
制御部８０は、画像読取装置全体を制御する機能を持ち、スキャナモータ１７、ＣＣＤ出力信号を処理する信号処理部１６１、画像処理部１９１、ランプ安定器８１、ＡＤＦ３及びネットワーク等を介して外部デバイスとのデータ交換を可能とする外部Ｉ／Ｆ７０を制御下に置く。
制御部８０は、図示しないが、ＣＰＵ（Central Processing Unit）、プログラムを格納するＲＯＭ（Read Only Memory）、プログラムを動作させるときのワーク領域として使用するＲＡＭ（Random Access Memory）等を要素として構成される。この制御部８０は、ＲＯＭに、読取制御に係るプログラムの一部に後述する制御フロー図に示す連続ＤＦ読取における制御動作等を実行するためのプログラムを記録し、このプログラムをＣＰＵが駆動することで、この制御動作を実現する手段を構成する。なお、上記プログラムを記録する媒体としては、上記のＲＯＭに限らず、ＨＤＤ（Hard Disk Drive）、ＣＤ（Compact Disk）−ＲＯＭ、ＭＯ（Magnet Optical Disk）、ＤＶＤ（Digital Versatile Disk）等のコンピュータで読み取り可能な記録媒体を用いることができる。また、プログラムを、インターネット等のネットワーク（図示せず）に接続されたコンピュータ上に格納し、ネットワーク経由でダウンロードさせることにより提供するようにしても良い。または、プログラムをインターネット等のネットワーク経由で提供若しくは配布するようにしても良い。
【００１９】
ここで、図２を参照して、ブック読取及びＤＦ読取の各動作モードにおいて、制御部８０から制御システムの各部に送る制御信号を説明する。なお、制御動作の手順については、後述の制御フローにおいて詳述する。
まず、ブック読取モードでは、スキャナモータ１７によってキャリッジ１０，１３を駆動して基準白板７や原稿Ｐ２を読取る動作を行わせるので、制御部８０は、所定の副走査タイミングでスキャナモータ１７の駆動を制御するために、スキャナモータ１７に、モータ電流を設定する信号：Ｍ_ＶＲＥＦ０〜２、モータの励磁方式を設定する信号：Ｍ_ＭＯＤＥ０〜１、回転方向を指示する信号：ＣＷ_ＣＣＷ、モータを駆動するためのクロック：Ｍ_ＣＬＫ）を出力する。制御部８０は、その他に、信号処理部１６１に対して黒オフセット検出タイミングを示す信号：ＸＢＫＤＴ、基準白板読取タイミングを示す信号：ＸＳＨＧＴ、原稿読取タイミングを示す信号：ＸＦＧＡＴＥを出力し、ランプ安定器８１には点灯同期クロック：Ｌ_ＣＬＫ、ランプをオン／オフする点灯信号：Ｌ_ＣＮＴを出力する。
ランプ安定器８１は、ランプＬ_ＣＮＴがアサートされた状態のときにＬ_ＣＬＫを元にしたタイミングにてランプにパルス電圧を印加してランプ点灯させる。通常使用するＬ_ＣＬＫの周波数近辺では、周波数を下げると照度は下がる一方、電流値も下がり、電力も下がる。
【００２０】
他方、ＤＦ読取モードでは、キャリッジ１０，１３を基準白板７とＤＦ読取位置であるＡＤＦ原稿ガラス６とを往復させながら、基準白板７やＡＤＦ３により送られる原稿Ｐ１を読取る。
図３は、ＤＦ読取モードにおけるこの読取動作を説明する図である。
同図に示すように、ＡＤＦ原稿ガラス６を設けたＤＦ読取位置は、ホームポジション（ＨＰ）でもあり、この位置に待機しているキャリッジ１０，１３は、読取要求が生じると、基準白板７を読取るために、スキャナ（ステッピング）モータ１７により基準白板７方向に移動する。その後、方向を転換してＤＦ読取位置に戻りながら基準白板７を読取り、更にＤＦ読取位置まで移動し、停止する。停止後、所定の間を置き、ＡＤＦ３によって搬送されてくる原稿Ｐ１（図３中に原稿Ｐ１の動きを矢示する）がＡＤＦ原稿ガラス６を設けたＤＦ読取位置を通過するので、原稿画像を読取る。この読取信号には、基準白板７を読取ることにより得た補正データによって補正が施される。
【００２１】
上記のように、ＤＦ読取モードでは、ＡＤＦ３が原稿Ｐ１の搬送を行い、タイミングを管理しているので、原稿読取タイミングを示す信号：ＸＤＦＧＡＴＥを制御部８０に対して出力する。制御部８０は、それをＸＦＧＡＴＥとして信号処理部１６１、画像処理部１９１に受け渡す。これ以外、信号処理部１６１、画像処理部１９１に対する制御信号は、ブック読取におけると違わない。
上述のように、ＤＦ読取モードでは、キャリッジ１０，１３は、基準白板７を読取る動作を行わせるためだけに駆動するので、このときには、ブック読取におけると同様にスキャナモータ１７を駆動する。
ランプ安定器８１に対する制御信号は、点灯同期クロック：Ｌ_ＣＬＫ、点灯信号：Ｌ_ＣＮＴであることに変わりはない。ただし、読取動作の制御フローにおいて、ランプ８の点灯周波数が制御の対象になるので、所定の条件でランプ安定器８１の点灯同期クロック：Ｌ_ＣＬＫが変更される。
【００２２】
次に、上記制御システム（図２）が行う連続ＤＦ読取における制御動作について説明する。
先ず、先行技術における連続ＤＦ読取における制御動作について説明する。この制御動作は、連続読取の生産性を向上できるように、連続ＤＦ読取の原稿間における照明用のランプの点灯／消灯を制御する動作である。
図１６及び図１７は、この先行技術における連続ＤＦ読取における制御フローを示す図である。なお、図１７は、スペースの関係上、図１６に描けなかった部分を分割して示すもので、それぞれの図面の接続端子に同じ符号（Ａ−Ａ、Ｂ−Ｂ、Ｃ−Ｃ）を付すことで、両図の関係を表している。
【００２３】
図１６の制御フローは、ＡＤＦ３の原稿トレイ２０に原稿Ｐ１がセットされ、読取（スキャン）開始が指示されると起動され、先ず、ランプ８をＯＮする（ステップＳ１０１）。
次に、操作部を通して指示された読取モード（カラー／モノクロのモード）に応じた動作設定を行うので、読取モードを確認し（ステップＳ１０２）、それぞれの読取モードの動作設定、即ち、カラー読取であれば（ステップＳ１０２-YES）、カラー読取モードの動作設定（ステップＳ１０３）を行い、またモノクロ読取であれば（ステップＳ１０２-NO）、モノクロ読取モードの動作設定（ステップＳ１０４）を行う。読取モード（カラー／モノクロのモード）に応じた動作設定の内容は、主走査におけるライン周期の設定、３ラインカラーＣＣＤ１５の出力を増幅する増幅率の設定など、読取モードによって異なる値を設定する。
【００２４】
次に、ＤＦ読取モードかブック読取モードか、どちらの読取モードが選択されているかによって動作を分岐するので、読取モードを確認する（ステップＳ１０５）。
ここで、ＤＦ読取モードが指定されていた場合（ステップＳ１０５-YES）、ステップＳ１０６へ移行する。なお、ブック読取モードが指定されていた場合（ステップＳ１０５-NO）、ブック読取モードの動作に従って制御を行うが、本実施形態における特徴部分に直接係らないので、説明を省く。
ＤＦ読取モードの動作として、次のステップでは、ＤＦ読取モードに応じた動作設定を行う（ステップＳ１０６）。ＤＦ読取モードに応じた動作設定の内容は、読取のダイナミックレンジおよびＲＧＢの出力バランスを決めるためのグレーバランス調整数などである。
また、ＤＦ読取モードの動作設定として、スキャナ（ステッピング）モータ１７の設定、即ち、駆動プロファイルを設定する（ステップＳ１０７）。この駆動プロファイルは、基準白板７を読取るためにキャリッジ１０，１３を移動させる際、ＨＰ（ＤＦ読取位置）と基準白板７の間を往復させるときに用いるプロファイルである（図３の動作説明、参照）。
【００２５】
次に、黒信号を読取り、画像データの基準レベルとなる黒レベルを算出する（ステップＳ１０８）。
また、基準白板７を読取るためのライン間補正量の設定を行う（ステップＳ１０９）。この設定は、３ラインカラーＣＣＤ１５のＲＧＢセンサが、物理的に副走査方向にずれて配置されているため、時間的に早く読んだデータを遅延させることによりＲＧＢデータを揃える、即ち、同一位置のＲＧＢ読取データとしてまとめるために行う。
ステップＳ１０６〜Ｓ１０９までの処理を行うことで、基準白板７を読取る準備ができたので、ＨＰ（ＤＦ読取位置）と基準白板７の間を往復するキャリッジ１０，１３を移動させるスキャナモータ１７の駆動を開始する（ステップＳ１１０）。
キャリッジ１０，１３がＨＰ（ＤＦ読取位置）と基準白板７の間を往復する間に基準白板７を読取る（ステップＳ１１１）。
【００２６】
キャリッジ１０，１３がＨＰに戻る間に、この後に行う原稿読取の準備として、原稿を読取るためのライン間補正量の設定を行う（ステップＳ１１２）（以降の制御フローは、図１７）。この設定は、３ラインカラーＣＣＤ１５のＲＧＢセンサにおける副走査方向の物理的なずれを補正し、ＲＧＢデータを揃えるために行うものである。
キャリッジ１０，１３がＨＰに戻り、停止したことを確認し（ステップＳ１１３）、その後、原稿がＨＰ（ＤＦ読取位置）に搬送されてくるので、読取部２は、原稿画像を読取り、読取った画像データを所定の記憶場所に格納して原稿読取を終了する（ステップＳ１１４）。
原稿読取を終了すると、次の読取要求があるか否かを確認する（ステップＳ１１５）。通常、コピー用途で原稿を読取っていく場合、次の読取要求があるか否かの確認は、即時になされる。それは、画像処理装置（ここでは、カラーデジタル複写機）がコピー用途であり、かつ連続読み取りであること（ＡＤＦ３の原稿トレイ２０に次の原稿Ｐ１がセットされていることをセンサが検知している）が認識できるからである。
よって、コピー用途で原稿を読取っている場合には、原稿読取を終了した後、次の読取要求があるか否かを確認し、その結果、次の読取要求があれば（ステップＳ１１５-YES）、即時に次の原稿に対する読取手順を進めるためにステップＳ１０８に戻る。
【００２７】
他方、次の読取要求があることが確認できなければ（ステップＳ１１５-NO）、所定時間（ここでは、２５００ｍｓとしている）待機する。この待機時において、読取部２の動作状態は、コピー用途のように即時に次の読取要求が発行されない場合（例えば、ＴＷＡＩＮ読取）の読取要求を受付けることを想定して、所定時間に限って読取要求を待つので、ランプ８は、読取時と同じ点灯状態を保つ。
よって、この待機時の制御フローとしては、ステップＳ１１５で次の読取要求があることが確認できなければ（ステップＳ１１５-NO）、原稿読取を終了した時点からの経過時間を管理し、この経過時間が所定時間（２５００ｍｓ）を経過したか否かを確認する（ステップＳ１１６）。
ここで、経過時間が所定時間を経過したことが確認できれば（ステップＳ１１６-YES）、ランプ８を消灯して（ステップＳ１１７）、この制御フローを終了する。
【００２８】
また、経過時間が所定時間を経過したことが確認できなければ（ステップＳ１１６-NO）、待機を続けるので、処理手順として、次の読取要求があるか否かを確認する（ステップＳ１１８）。
ステップＳ１１８の確認の結果、次の読取要求がなければ（ステップＳ１１８-NO）、所定時間が経過するまで、ステップＳ１１６とステップＳ１１８を繰返す。
他方、ステップＳ１１８の確認の結果、次の読取要求があれば（ステップＳ１１８-YES）、次の原稿に対する読取手順を進めるためにステップＳ１０２に戻る。この場合、次の原稿に対する読取手順の戻し先がコピー用途の場合と異なる。コピー用途の場合には、ステップＳ１０８に戻したが、ここでは、ステップＳ１０２である。これは、待機時間に読み取り要求が来た場合には、例えば、ＴＷＡＩＮ読取の要求のように、原稿読取を終了した時点で即時に次の読取要求が発行されない場合、いわば、擬似連続読取動作となるからである。ＴＷＡＩＮ読取の要求の場合、読取モードが変更されることも可能であるため、これに対応するためには、ステップＳ１０２に戻さなければならない。
【００２９】
上記のように、図１６及び図１７に示した先行技術の制御フローを実行することによって、原稿読取の終了から予め定めた所定時間（上記の例では、２５００ｍｓ）、原稿照明用のランプを点灯し続け次の読取要求を待ち、このような待機動作を行うことでＴＷＡＩＮ読取の要求のように、原稿読取を終了した時点で即時に次の読取要求が発行されない場合にも、所定時間内に受付けた次の読取要求に対し、読取開始までの所要時間を、ランプの立上げにかかる時間分短縮する動作を行うことが可能になる。
ただ、所定時間に達するまではランプを消灯せずに待機する上記先行技術の方法は、一律に所定時間だけランプが点灯してしまうために、後続する原稿がなければ、結果的に無駄に点灯されている時間が生じることになって、省エネルギーという観点から望ましくない動作状態となる。また、ランプを有効に利用できる寿命が短くなってしまう不具合も生じる。
【００３０】
そこで、この実施形態では、ＤＦ読取において、原稿読取を終了し次の読取要求を待つ時点で、画像読取装置の動作状態が、読取要求を待つために予め定めた条件（以下「所定の待機条件」という）を満たすか否かを確認し、所定の待機条件が満たされたときだけに、光源の点灯周波数を下げて、所定時間待機する。
このような制御動作を行うことで、ＴＷＡＩＮ読取のような動作であっても、連続読取の生産性を下げずにすみ、かつランプの寿命を伸ばすことができる。
また、連続読取の生産性を向上させ、かつランプの寿命化を図るために行う上記した待機動作の際に、次の原稿読取に移行するまでに必要とされる基準白板の読取時期を考慮して、さらに短い時間で次の原稿読取を行えるようにＤＦ読取動作を制御する。
制御システム（図２）が、上記のＤＦ読取動作を実現するために実行する制御フローの実施形態として「実施形態１」〜「実施形態６」を以下に示す。
【００３１】
「実施形態１」
この実施形態は、先行技術の待機動作を上記の意図に従って改変した基本実施形態を示すものである。ここでは、原稿トレイ２０に原稿Ｐ１がセットされており、またＡＤＦ３が閉止位置にある場合に、読取要求が出されることが予測できる画像読取装置の動作状態であるとみなして、これらを所定の待機条件として、この条件が満たされれば、光源の点灯周波数を下げて、所定時間待機する動作を行うようにする。
図４及び図５は、この実施形態における連続ＤＦ読取における制御フローを示す図である。なお、図５は、スペースの関係上、図４に描けなかった部分を分割して示すもので、それぞれの図面の接続端子に同じ符号（Ａ−Ａ、Ｂ−Ｂ、Ｃ−Ｃ）を付すことで、両図の関係を表している（以降の実施形態２〜６も同様の形式を採る）。
また、図４及び図５において、この実施形態によって改変された部分以外は、先行技術の図１６及び図１７に示した制御フローと変わらない。よって、この実施形態によって改変された部分を主に説明を加え、変更しない部分は、図１６及び図１７に基づいて行った先の説明を参照することとし、ここでは記載を省略する。なお、図４及び図５において、図１６及び図１７と対応する部分については、同一のステップ番号（ステップＳ１０１〜Ｓ１１８）を付している。
【００３２】
図４及び図５の制御フローにおいて、ＤＦ読取モードの動作として、ステップＳ１１１で基準白板７を読取りに行き、ＨＰに戻った後、ステップＳ１１４で原稿読取を行い、原稿読取を終了すると、次の読取要求があるか否かを確認する（ステップＳ１１５）。通常、コピー用途の原稿読取では、次の読取要求があるか否かは、即時に確認できるので、この確認の結果、次の読取要求があれば（ステップＳ１１５-YES）、即時に次の原稿に対する読取手順を進めるためにステップＳ１０８に戻る。
他方、次の読取要求があることが確認できなければ（ステップＳ１１５-NO）、所定の待機条件を満たすか否かを確認する。この確認は、即時に次の読取要求が発行されない場合（例えば、ＴＷＡＩＮ読取）を想定して、次の読取要求を待つ所定の条件を予め待機条件として定めておき、この待機条件が満たされる場合に待機動作を行うようにするための手順である。
【００３３】
この実施形態では、原稿トレイ２０に原稿がセットされており、かつＡＤＦ３が閉止位置にある場合に、読取要求が出されることが予測できる画像読取装置の動作状態であるとみなし、これらを所定の待機条件とする。ここに、ＡＤＦ３が閉止位置にある場合を条件としたのは、ＡＤＦ３が開放位置にある場合には、ＤＦ読取が不可能な状態で、連続読取には成り得ないからである。なお、ＡＤＦ３が閉止位置にあることが、従来からＤＦ読取の起動条件の一つであるから、ＡＤＦ３が閉止位置にあるか否かを検知する手段は、従来から存在する。よって、待機条件としてのＡＤＦ３の閉止の確認は、既存の検知手段を適用することにより実施することができる。
また、この実施形態では、原稿トレイ２０に原稿がセットされており、かつＡＤＦ３が閉止位置にある場合を待機条件としたが、どちらかを単一の待機条件としてもよい。
【００３４】
図５の制御フローでは、ステップＳ１１５で次の読取要求があることが確認できなければ（ステップＳ１１５-NO）、先ず、原稿トレイ２０に原稿がセットされているか否かを確認する（ステップＳ２０１）。
ここで、原稿トレイ２０に原稿がセットされていなければ（ステップＳ２０１-NO）、ランプ８を消灯して（ステップＳ１１７）、この制御フローを終了する。
また、原稿トレイ２０に原稿がセットされていれば（ステップＳ２０１-YES）、次の待機条件であるＡＤＦ３が閉止位置にあるか否かを確認する（ステップＳ２０２）。
ここで、ＡＤＦ３が閉止位置になければ（ステップＳ２０２-NO）、連続読取には成り得ないので、ランプ８を消灯して（ステップＳ１１７）、この制御フローを終了する。
他方、ＡＤＦ３が閉止位置にあれば（ステップＳ２０２-YES）、待機条件をクリアするので、待機動作に入り、管理している原稿読取を終了した時点からの経過時間が所定時間（２５００ｍｓ）を経過したか否かを確認する（ステップＳ１１６）。
【００３５】
ステップＳ１１６で経過時間が所定時間を経過したことが確認できなければ（ステップＳ１１６-NO）、待機動作を続ける。また、この実施形態では、待機動作において、ランプ８の点灯クロック：Ｌ_ＣＬＫの周波数を下げる（ステップＳ２０３）。つまり、先程原稿読取を終了したときのままでランプ８が点灯されているので、この通常の状態にあるランプ８の点灯周波数を下げ、照度を落とすことにより、待機状態を保ちながらも待機中の消費電力の低減を図る。
また、ステップＳ１１６で経過時間が所定時間を経過したことが確認できれば（ステップＳ１１６-YES）、ランプ８を消灯して（ステップＳ１１７）、この制御フローを終了する。
【００３６】
ステップＳ２０３でランプ８の照度を落とした後、次の読取要求があるか否かを確認する（ステップＳ１１８）。
ステップＳ１１８の確認の結果、次の読取要求がなければ（ステップＳ１１８-NO）、所定時間が経過するまで、ステップＳ２０１からステップＳ１１８までの手順を繰返す。
他方、ステップＳ１１８の確認の結果、次の読取要求があれば（ステップＳ１１８-YES）、この原稿に対する読取手順に移行する。ただ、ステップＳ２０３で光源８の照度を落としているので、通常の点灯状態に戻して（ステップＳ２０４）、ステップＳ１０２に戻る。
上記のように、ステップＳ２０１、Ｓ２０２の処理を行うことにより、所定の待機条件を満たすＴＷＡＩＮの連続読取のような擬似連続読取に適応した動作ができ、また、それ以外の場合は、読み取り終了後、直ぐにランプオフされるのでランプ寿命を伸ばすことが出来る。
【００３７】
「実施形態２」
この実施形態は、上記「実施形態１」の基本実施形態において、待機動作の際に、次の原稿読取に移行するまでに必要とされる基準白板７の読取を行うようにすることで、次の読取要求への移行時において、原稿読取を早くできるようにした実施形態を示すものである。
図６及び図７は、この実施形態における連続ＤＦ読取における制御フローを示す図である。なお、図６及び図７において、この実施形態によって改変された部分以外は、実施形態１（図４及び図５）及び先行技術（図１６及び図１７）に示した制御フローと変わらない。よって、この実施形態によって改変された部分を主に説明を加え、変更しない部分は、先の説明を参照することとし、ここでは記載を省略する。なお、図６及び図７において、実施形態１（図４及び図５）及び先行技術（図１６及び図１７）と対応する部分については、同一のステップ番号（ステップＳ１０１〜Ｓ１１８及びＳ２０１〜Ｓ２０４）を付している。
【００３８】
図６及び図７の制御フローにおいて、ＤＦ読取モードの動作として、ステップＳ１１１で基準白板７を読取りに行くが、この際、擬似連続読取の動作、即ち待機動作を経て次の読取要求に応えて行う動作である場合には、既に基準白板読取を済ませている（この点が本実施形態の特徴である）ので、この点を確認する手順を入れる。
この手順は、待機時に基準白板読取を済ませているか否かを確認するステップＳ３０１で行う。このステップで、待機時に基準白板読取を済ませていることが確認できれば（ステップＳ３０１-YES）、基準白板読取の手順であるステップＳ１０９〜Ｓ１１１を飛ばして、直ぐに原稿読取の手順であるステップＳ１１２〜Ｓ１１４へ進む。この手順を行うことで、擬似連続読取における次の読取要求への移行時において、基準白板読取を行わない分だけ原稿読取が早くできるようになる。
【００３９】
待機動作の際に行う基準白板７の読取について、図６及び図７の制御フローに基づいて説明する。
ステップＳ２０１及びＳ２０２で所定の待機条件を満たすか否かが確認され、これらの条件が満たされると（ステップＳ２０２-YES）、予定された所定時間（例えば、２５００ｍｓ）を限度として待機するが、この待機時間に基準白板７の読取を行う。
制御フローでは、先ず、待機時に基準白板読取を済ませているか否かを確認する（ステップＳ３０２）。この確認は、次の読取要求を待ち受けるために、所定時間（例えば、２５００ｍｓ）にわたってステップＳ２０１〜Ｓ１１６を繰返すので、この間に基準白板読取及びランプ８の点灯周波数の低減処理は、一度行えばよい、という設計にするからである。
ステップＳ３０２で待機時の基準白板読取を済ませていることが確認できれば（ステップＳ３０２-YES）、基準白板読取とランプ点灯周波数の低減処理を飛ばして、次の読取要求があるか否かを確認するステップＳ１１８の手順を行う。
【００４０】
他方、ステップＳ３０２で待機時の基準白板読取を済ませていることが確認できなければ（ステップＳ３０２-NO）、基準白板読取を行う。
基準白板読取の手順は、基準白板読取用のライン間補正量の設定（ステップＳ３０３）、キャリッジ移動の駆動開始（ステップＳ３０４）及び基準白板読取り（ステップＳ３０５）よりなる。なお、この手順は、先に図１６をもとに説明したステップＳ１０９〜S１１１と同じであるから、詳細はここを参照することとする。
また、基準白板読取を行った後、ランプ８の点灯周波数の低減処理を行う（ステップＳ２０３）。
【００４１】
上記のように、ステップＳ３０１、Ｓ３０２〜Ｓ３０５の処理で、待機動作の際に、次の原稿読取に移行するまでに必要とされる基準白板７の読取を行うようにすることによって、擬似連続読取における次の読取要求への移行時において、基準白板読取を行わない分だけ原稿読取が早くできるようになる。なお、この動作によると、擬似連続読取において原稿読取直前に、基準白板読取を行わないが、待機動作は、所定時間（例えば、２５００ｍｓ）を限度として、そこで基準白板読取を行っており、鮮度保証をしているので、時間のずれは問題にならない。
【００４２】
「実施形態３」
この実施形態は、上記「実施形態２」に示した実施形態において、擬似連続読取において新たに要求された読取が前回の読取モードと異なる場合に、待機動作の際に基準白板読取を行っても、改めて基準白板読取をやり直し、不具合が生じることなく、画質を保証できるようにした実施形態を示すものである。
図８及び図９は、この実施形態における連続ＤＦ読取における制御フローを示す図である。なお、図８及び図９において、この実施形態によって改変された部分以外は、実施形態１，２（図４〜図７）及び先行技術（図１６及び図１７）に示した制御フローと変わらない。よって、この実施形態によって改変された部分を主に説明を加え、変更しない部分は、先の説明を参照することとし、ここでは記載を省略する。なお、図８及び図９において、実施形態１，２（図４〜図７）及び先行技術（図１６及び図１７）と対応する部分については、同一のステップ番号（ステップＳ１０１〜Ｓ１１８、Ｓ２０１〜Ｓ２０４及びＳ３０１〜Ｓ３０５）を付している。
【００４３】
図８及び図９の制御フローにおいて、ＤＦ読取モードの動作として、ステップＳ１１１で基準白板７を読取りに行くが、この際、擬似連続読取の動作、即ち待機動作を経て次の読取要求に応えて行う動作である場合には、既に基準白板読取を済ませているので、この点を確認する手順を入れる。
この手順は、上記実施形態２で述べたように、待機時に基準白板読取を済ませているか否かを確認するステップＳ３０１で行う。このステップで、待機時に基準白板読取を済ませていることが確認できれば（ステップＳ３０１-YES）、基準白板読取の手順であるステップＳ１０９〜Ｓ１１１を飛ばして、直ぐに原稿読取の手順であるステップＳ１１２〜Ｓ１１４へ移行させることで、処理を早めることができる。ただ、待機時に行った基準白板読取における読取モードと、新たな読取要求の読取モードが異なる場合、待機時に行った基準白板読取データを用いることは適当ではない。このため、この実施形態では、前回の読取モードと新たな読取要求の読取モードとが異なるか否かを確認し、確認結果に従い、改めて基準白板読取をやり直すか、そのまま待機時に行った基準白板読取データを用いるかを決める。
【００４４】
図８及び図９の制御フローにおける読取モードを確認する手順は、ステップＳ４０１である。
待機時に基準白板読取を済ませているか否かを確認するステップＳ３０１で、待機時に基準白板読取を済ませていることが確認できた場合（ステップＳ３０１-YES）、前回の読取モードと新たな読取要求の読取モードとが異なるか否かを確認する（ステップＳ４０１）。
ここで、両方の読取モードが異ならないことを確認した場合には（ステップＳ４０１-NO）、直ちに原稿読取の手順であるステップＳ１１２〜Ｓ１１４へ移行させる。
他方、前回の読取モードと新たな読取要求の読取モードとが異なることを確認した場合には（ステップＳ４０１-YES）、改めて基準白板読取をやり直し、新たな読取要求の読取モードに適合する基準白板読取データを得る（ステップＳ１０９〜Ｓ１１１）。
なお、ここで改めて基準白板読取をやり直す読取モードとしては、例えば、カラー読取モードとモノクロ読取モードの間である。カラー読取モードとモノクロ読取モードでは、読み取り再現濃度範囲（どの白さまで読み取らせるか）の仕様が異なる場合や読み取り線速が異なる場合があり、このような場合には、基準白板を読み取ったデータも異なる。
【００４５】
上記のように、ステップＳ４０１を加えることで、待機動作の際に行った基準白板７の読取モードが、新たな読取要求の読取モードと異なる場合、この場合にのみ適合する読取モードで基準白板７の読取をやり直すことによって、画質の変化を防ぎ、画質を安定化することができ、この場合以外は、擬似連続読取における次の読取要求への移行時において、基準白板読取を行わず、直ぐに原稿読取に移行するので、パフォーマンスを高めることができる。
【００４６】
「実施形態４」
この実施形態は、上記「実施形態３」に示した実施形態と同様に、擬似連続読取において新たに要求された読取が前回の読取モードと異なる場合に、待機動作の際に基準白板読取を行っても、改めて基準白板読取をやり直し、不具合が生じることなく、画質を保証できるようにするものである。ただ、前回の読取モードと新たな読取要求の読取モードとの関係が、カラー読取モードからモノクロ読取モードに変わる場合に、改めて基準白板読取をやり直す意味がほとんどない。よって、基準白板読取のやり直しが必須であるモノクロ読取モードからカラー読取モードに変わる場合に限って基準白板読取をやり直すようにする。
【００４７】
図１０及び図１１は、この実施形態における連続ＤＦ読取における制御フローを示す図である。なお、図１０及び図１１において、この実施形態によって改変された部分以外は、実施形態１，２（図４〜図７）及び先行技術（図１６及び図１７）に示した制御フローと変わらない。よって、この実施形態によって改変された部分を主に説明を加え、変更しない部分は、先の説明を参照することとし、ここでは記載を省略する。なお、図１０及び図１１において、実施形態１，２（図４〜図７）及び先行技術（図１６及び図１７）と対応する部分については、同一のステップ番号（ステップＳ１０１〜Ｓ１１８、Ｓ２０１〜Ｓ２０４及びＳ３０１〜Ｓ３０５）を付している。
【００４８】
図１０及び図１１の制御フローにおいて、ＤＦ読取モードの動作として、ステップＳ１１１で基準白板７を読取りに行くが、この際、擬似連続読取の動作、即ち待機動作を経て次の読取要求に応えて行う動作である場合には、既に基準白板読取を済ませているので、この点を確認する手順を入れる。
この手順は、上記実施形態２で述べたように、待機時に基準白板読取を済ませているか否かを確認するステップＳ３０１で行う。このステップで、待機時に基準白板読取を済ませていることが確認できれば（ステップＳ３０１-YES）、基準白板読取の手順であるステップＳ１０９〜Ｓ１１１を飛ばして、直ぐに原稿読取の手順であるステップＳ１１２〜Ｓ１１４へ移行させることで、処理を早めることができる。ただ、待機時に行った基準白板読取における読取モードと、新たな読取要求の読取モードが異なる場合、特に待機時にモノクロ読取モードで行った基準白板読取データをカラー読取に用いることは適当ではない。このため、この実施形態では、前回の読取モードがモノクロであり、新たな読取要求の読取モードがカラーであるか否かを確認し、モノクロ読取モードからカラー読取モードへの変更であることを確認した場合に、改めて基準白板読取をやり直し、それ以外はそのまま待機時に行った基準白板読取データを用いるようにする。
【００４９】
図１０及び図１１の制御フローにおけるこの読取モードの確認手順は、ステップＳ５０１である。
待機時に基準白板読取を済ませているか否かを確認するステップＳ３０１で、待機時に基準白板読取を済ませていることが確認できた場合（ステップＳ３０１-YES）、前回の読取モードがモノクロ読取モードであり、このモードから新たな読取要求の読取モードとしてカラー読取モードへ変更されたか否かを確認する（ステップＳ５０１）。
ここで、モノクロ読取モードからカラー読取モードへの変更ではないことを確認した場合には（ステップＳ５０１-NO）、直ちに原稿読取の手順であるステップＳ１１２〜Ｓ１１４へ移行させる。
他方、モノクロ読取モードからカラー読取モードへの変更であることを確認した場合には（ステップＳ５０１-YES）、改めて基準白板読取をやり直し、新たな読取要求の読取モードに適合する基準白板読取データを得る（ステップＳ１０９〜Ｓ１１１）。
【００５０】
上記のように、ステップＳ５０１を加えることで、基準白板読取のやり直しが必須であるモノクロ読取モードからカラー読取モードに変更する場合に限って基準白板読取をやり直すようにすることにより、上記実施形態３に比べ、生産性をさらに向上することができる。
【００５１】
「実施形態５」
この実施形態は、上記「実施形態３」に示した実施形態と同様に、擬似連続読取において新たに要求された読取が前回の読取モードと異なる場合に、待機動作の際に基準白板読取を行っても、改めて基準白板読取をやり直し、不具合が生じることなく、画質を保証できるようにする機能を備えたものである。ただ、前回の読取モードと新たな読取要求の読取モードとの関係が、モノクロ読取モードからカラー読取モードに変わる場合のように、画質の変化が生じる可能性が高くても、使用条件によっては、基準白板の再読取をしないで読取られる画像をユーザが許容でき、むしろ生産性を重視するので設定を無効にしたい、という要望がある。
そこで、この要望に応えるために、操作部を通して、前回の読取モードと新たな読取要求の読取モードが異なる場合に基準白板読取をやり直す動作を行う上記機能を働かすか否かを選択できるようにする。
【００５２】
図１２及び図１３は、この実施形態における連続ＤＦ読取における制御フローを示す図である。なお、図１２及び図１３において、この実施形態によって改変された部分以外は、実施形態１〜３（図４〜図９）及び先行技術（図１６及び図１７）に示した制御フローと変わらない。よって、この実施形態によって改変された部分を主に説明を加え、変更しない部分は、先の説明を参照することとし、ここでは記載を省略する。なお、図１２及び図１３において、実施形態１〜３（図４〜図９）及び先行技術（図１６及び図１７）と対応する部分については、同一のステップ番号（ステップＳ１０１〜Ｓ１１８、Ｓ２０１〜Ｓ２０４、Ｓ３０１〜Ｓ３０５及びＳ４０１）を付している。
【００５３】
図１２及び図１３の制御フローにおいて、ＤＦ読取モードの動作として、ステップＳ１１１で基準白板７を読取りに行くが、この際、擬似連続読取の動作、即ち待機動作を経て次の読取要求に応えて行う動作である場合には、既に基準白板読取を済ませているので、この点を確認する手順を入れる。
この手順は、上記実施形態２で述べたように、待機時に基準白板読取を済ませているか否かを確認するステップＳ３０１で行う。このステップで、待機時に基準白板読取を済ませていることが確認できれば（ステップＳ３０１-YES）、基準白板読取の手順であるステップＳ１０９〜Ｓ１１１を飛ばして、直ぐに原稿読取の手順であるステップＳ１１２〜Ｓ１１４へ移行させることで、処理を早めることができる。ただ、待機時に行った基準白板読取における読取モードと、新たな読取要求の読取モードが異なる場合、待機時に行った基準白板読取データを用いることは適当ではない。このため、この実施形態では、前回の読取モードと新たな読取要求の読取モードとが異なるか否かを確認し、確認結果に従い、改めて基準白板読取をやり直すか、そのまま待機時に行った基準白板読取データを用いるかを決める。
【００５４】
待機時に基準白板読取を済ませているか否かを確認するステップＳ３０１で、待機時に基準白板読取を済ませていることが確認できた場合（ステップＳ３０１-YES）、前回の読取モードと新たな読取要求の読取モードとが異なるか否かを確認する（ステップＳ４０１）。
ここで、両方の読取モードが異ならないことを確認した場合には（ステップＳ４０１-NO）、直ちに原稿読取の手順であるステップＳ１１２〜Ｓ１１４へ移行させる。
他方、前回の読取モードと新たな読取要求の読取モードとが異なることを確認した場合には（ステップＳ４０１-YES）、この実施形態において加えたステップＳ６０１の手順を行う。この手順は、ユーザが操作部を通して指示する、基準白板読取をやり直す動作を行うか否かの選択を動作に反映させるための手順である。
制御フローとしては、操作部から基準白板の再読取を行う設定が行われているか否かを確認する（ステップＳ６０１）。
ここで、基準白板の再読取を行う設定が行われている場合（ステップＳ６０１-YES）、改めて基準白板読取をやり直し、新たな読取要求の読取モードに適合する基準白板読取データを得る（ステップＳ１０９〜Ｓ１１１）。
他方、基準白板の再読取を行う設定が行われていない場合（ステップＳ６０１-NO）、直ちに原稿読取の手順であるステップＳ１１２〜Ｓ１１４へ移行させる。
【００５５】
上記のように、ステップＳ６０１を加えることで、待機動作の際に行った基準白板７の読取モードが、新たな読取要求の読取モードと異なる場合、基準白板の再読取をしないで読取られる画像に生じる画質の変化がユーザの許容範囲であり、むしろ生産性を重視するので基準白板の再読取を無効にしたい、と考えるユーザの要望に応えることができる。
【００５６】
「実施形態６」
この実施形態は、上記「実施形態１」の基本実施形態において、待機動作の際に、次の原稿読取に移行するまでに行う基準白板読取の事前動作を行うようにすることで、次の読取要求への移行時において、原稿読取を早くできるようにした実施形態を示すものである。ここでは、基準白板読取の事前動作として、基準白板読取用ライン間補正量の設定及びキャリッジ１０，１３の基準白板位置への移動を行う。
図１４及び図１５は、この実施形態における連続ＤＦ読取における制御フローを示す図である。なお、図１４及び図１５において、この実施形態によって改変された部分以外は、実施形態１（図４及び図５）及び先行技術（図１６及び図１７）に示した制御フローと変わらない。よって、この実施形態によって改変された部分を主に説明を加え、変更しない部分は、先の説明を参照することとし、ここでは記載を省略する。なお、図６及び図７において、実施形態１（図４及び図５）及び先行技術（図１６及び図１７）と対応する部分については、同一のステップ番号（ステップＳ１０１〜Ｓ１１８及びＳ２０１〜Ｓ２０４）を付している。
【００５７】
図１４及び図１５の制御フローにおいて、ＤＦ読取モードの動作として、ステップＳ１１１で基準白板７を読取りに行くが、この際、擬似連続読取の動作、即ち待機動作を経て次の読取要求に応えて行う動作である場合には、既に基準白板読取の事前動作を行っている（この点が本実施形態の特徴である）ので、この点を確認する手順を入れる。
この手順は、待機時に基準白板読取の事前動作として、キャリッジ１０，１３が移動されて基準白板位置にあるか否かを確認するステップＳ７０１で行う。ステップＳ７０１で、待機時に基準白板読取の事前動作を行っていることが確認できれば（ステップＳ７０１−YES）、原稿読取前にこの事前動作を行う手順であるステップＳ１０９〜Ｓ１１０を飛ばして、直ぐに基準白板読取の手順であるステップＳ１１１へ進む。この手順を行うことで、擬似連続読取における次の読取要求への移行時において、基準白板読取の事前動作を行わない分だけ原稿読取が早くできるようになる。
【００５８】
待機動作の際に行う基準白板読取の事前動作について、図１５の制御フローに基づいて説明する。
ステップＳ２０１及びＳ２０２で所定の待機条件を満たすか否かが確認され、これらの条件が満たされると（ステップＳ２０２−YES）、予定された所定時間（例えば、２５００ｍｓ）を限度として待機するが、この待機時間に基準白板読取の事前動作を行う。
待機動作の制御フローでは、先ず、待機時にランプ８の点灯周波数を低減する処理を行う（ステツプＳ２０３）。
次いで、キャリッジ１０，１３が基準白板位置にあるか否かを確認する（ステップＳ７０２）。この確認は、次の読取要求を待ち受けるために、所定時間（例えば、２５００ｍｓ）にわたってステップＳ２０１〜Ｓ１１６を繰返すが、この間に基準白板読取の事前動作は、一度だけにする、という設計とするからである。
ステップＳ７０２でキャリッジ１０，１３が基準白板位置にあることが確認できなければ（ステップＳ７０２−NO）、基準白板読取用ライン間補正量の設定を行い（ステップＳ７０３）、また、キャリッジ１０，１３の基準白板位置への移動を行う（ステップＳ７０４）。
【００５９】
他方、ステップＳ７０２でキャリッジ１０，１３が基準白板位置にあることが確認できれば（ステップＳ７０２−YES）、基準白板読取用ライン間補正量の設定及びキャリッジ１０，１３の基準白板位置への移動を飛ばして、次の読取要求があるか否かを確認するステップＳ１１８の手順を行う。なお、この手順は、先に図１６をもとに説明したステップＳ１０９、Ｓ１１０と同じであるから、詳細はここを参照することとする。
また、次の読取要求がない場合（ステップＳ１１８−NO）、待機動作（ステップＳ２０１〜Ｓ１１６）は所定時間にわたって繰返され、次の読取要求がないまま所定時間に達すると（ステップＳ１１６−NO）、待機動作を抜け、制御フローを終了する。ただ、待機中に行った基準白板読取の事前動作でキャリッジ１０，１３が基準白板位置へ移動されているので、制御フローの終了時には、キャリッジ１０，１３をＨＰに移動させる（ステップＳ７０５）。
【００６０】
上記のように、ステップＳ７０１、Ｓ７０２〜Ｓ７０４の処理で、待機動作の際に、次の原稿読取に移行するまでに必要とされる基準白板読取の事前動作を行うようにすることによって、擬似連続読取における次の読取要求への移行時において、基準白板読取の事前動作を行わない分だけ原稿読取が早くできるようになる。
【符号の説明】
【００６１】
１・・画像読取装置、２・・読取部、３・・自動原稿搬送装置（ＡＤＦ）、５・・コンタクトガラス、６・・シート原稿用ガラス、７・・基準白板、８・・ランプ、１０・・第１キャリッジ、１３・・第２キャリッジ、１５・・ＣＣＤ、１７・・スキャナモータ、３３・・搬送ドラム、５０・・外部画像Ｉ／Ｆ、６０・・プリンタ、８０・・制御部、８１・・ランプ安定器。
【先行技術文献】
【特許文献】
【００６２】
【特許文献１】特開２００２−３３０２６９号公報
【図１】
2010212789.tif 000003
【図２】
2010212789.tif 000004
【図３】
2010212789.tif 000005
【図４】
2010212789.tif 000006
【図５】
2010212789.tif 000007
【図６】
2010212789.tif 000008
【図７】
2010212789.tif 000009
【図８】
2010212789.tif 000010
【図９】
2010212789.tif 000011
【図１０】
2010212789.tif 000012
【図１１】
2010212789.tif 000013
【図１２】
2010212789.tif 000014
【図１３】
2010212789.tif 000015
【図１４】
2010212789.tif 000016
【図１５】
2010212789.tif 000017
【図１６】
2010212789.tif 000018
【図１７】
2010212789.tif 000019